(57)【要約】【課題】ランプと、ユーザ操作インターフェースと、制御ユニットと、通信ユニットと、を備えるライトシステムである。【解決手段】ユーザ操作インターフェースは、表示ユニットと、接触制御ユニットと、を含み、ユーザによる輝度値又は色温度値の選択用に構成される。表示ユニットは、グラフィックインターフェースの出力に用いられることができる。接触制御ユニットは、表示ユニットのグラフィックインターフェースでの接触動作の検出に用いられることができる。制御ユニットは、ユーザ操作インターフェースに電気的に接続され、ユーザ操作インターフェースからの輝度値又は色温度値の選択を受信して処理することに用いられる。通信ユニットは、制御ユニットに電気的に接続され、無線プロトコルによって輝度値又は色温度値の選択をランプに送信することに用いられる。【選択図】図１
2013115039.tif 000002
【特許請求の範囲】
【請求項１】
グラフィックインターフェースを出力するための表示ユニット、当該表示ユニットに出力された前記グラフィックインターフェースでの接触動作を検出する接触制御ユニットを含み、ユーザによる輝度値又は色温度値の選択用に構成されるユーザ操作インターフェースと、
前記ユーザ操作インターフェースに電気的に接続され、前記ユーザ操作インターフェースからの前記輝度値又は前記色温度値の選択を受信して処理するための制御ユニットと、
前記制御ユニットに電気的に接続され、前記輝度値又は前記色温度値の前記選択をターゲットランプに送信するための通信ユニットと、
を備える調光装置。
【請求項２】
前記グラフィックインターフェースは、弧状の接触制御部及び接触制御抑止部を含み、前記弧状の接触制御部及び前記接触制御抑止部は、共同で閉ループリングになり、前記弧状の接触制御部は、前記輝度値又は前記色温度値の複数の段階を表示する請求項１記載の調光装置。
【請求項３】
前記弧状の接触制御部は、前記弧状の接触制御部の縁部に配置される複数の目盛りを包含する請求項２に記載の調光装置。
【請求項４】
前記制御ユニットは、前記弧状の接触制御部に対する前記ユーザの接触位置に対応する指針を表示する請求項２又は請求項３に記載の調光装置。
【請求項５】
前記弧状の接触制御部は、先端及び末端を包含し、前記接触制御抑止部は、前記先端と前記末端との間に配置される請求項２から４の何れか１項に記載の調光装置。
【請求項６】
前記グラフィックインターフェースは、前記閉ループリングの内に配置される選択値表示部を更に含む請求項２から５の何れか１項に記載の調光装置。
【請求項７】
前記グラフィックインターフェースは、前記輝度値又は前記色温度値の複数の段階を表示できる細長い接触制御部を含む請求項１記載の調光装置。
【請求項８】
前記細長い接触制御部は、前記細長い接触制御部の縁部に配置される複数の目盛りを包含する請求項７に記載の調光装置。
【請求項９】
前記制御ユニットは、前記細長い接触制御部に対する前記ユーザの接触位置に対応する指針を表示する請求項７又は請求項８に記載の調光装置。
【請求項１０】
前記グラフィックインターフェースは、前記細長い接触制御部に近接して配置される選択値表示部を更に含む請求項７から９の何れか１項に記載の調光装置。
【請求項１１】
ランプと、
無線プロトコルによって前記ランプを制御するための請求項から至請求項１０の何れか一項に記載の調光装置と、
を備えるライトシステム。
【請求項１２】
前記ランプは、ＬＥＤ（発光ダイオード）ランプである請求項１１に記載のライトシステム。
【請求項１３】
前記無線プロトコルは、赤外線、マイクロ波、ラジオ波、Ｚｉｇｂｅｅ（登録商標）、Ｗｉｍａｘ、２Ｇ、３Ｇ、４Ｇ、ブルートゥース又はＷＩＦＩプロトコルを含む請求項１１に記載のライトシステム。
【発明の詳細な説明】
【技術分野】
【０００１】
本発明は、ライトシステム及びその調光装置に関し、より詳細には、発光ダイオード（Ｌｉｇｈｔ-Ｅｍｉｔｔｉｎｇ  Ｄｉｏｄｅ；ＬＥＤ）ライトシステム及びこの発光ＬＥＤライトシステムの調光装置に関する。
【背景技術】
【０００２】
発光ダイオードは、正の電気バイアスを印加されと、光を出す半導体素子である。ＬＥＤの様々な構成のおかげで、ＬＥＤは、紫外光、可視光、赤外光又はその他の波長の光を放射できる。
【０００３】
従来の光源に比べ、ＬＥＤは、一層低いエネルギー消費、より長い寿命、改良される堅牢性、より小さいサイズ及びより速い切り替えを含む数多くの利点を表している。そのため、ＬＥＤは、２１世紀の新光源として認知され、白熱電球及び蛍光ランプの代わりに、主要な光源とされることも可能である。
【０００４】
また、ＬＥＤランプは、輝度及び色温度に対する幅広い調整範囲を持っている。ＬＥＤランプを従来のスイッチによって制御すれば、その利点が十分に活用されない場合がある。ユーザにより操作されるグラフィックインターフェースを提供する米国特許第７,３５８,９６１号には、ＬＥＤ制御用のユーザインターフェースが開示されるが、ＬＥＤに対するユーザの視覚的で直接な制御には、やはり不十分である。
【発明の概要】
【発明が解決しようとする課題】
【０００５】
前記原因により、手軽に使え、良く設計されるユーザ操作インターフェースが望まれている。
【課題を解決するための手段】
【０００６】
そのため、本発明の目的は、調光装置及びそれを備えるライトシステムを提供することにある。
【０００７】
本発明の前記及び他の目的によると、調光装置は、ユーザ操作インターフェースと、制御ユニットと、通信ユニットと、を含む。ユーザ操作インターフェースは、表示ユニットと、接触制御ユニットと、を含み、ユーザによる輝度値又は色温度値の選択用に構成される。表示ユニットは、グラフィックインターフェースの出力に用いられることができる。接触制御ユニットは、表示ユニットのグラフィックインターフェースでの接触動作の検出に用いられることができる。制御ユニットは、ユーザ操作インターフェースに電気的に接続され、ユーザ操作インターフェースからの輝度値又は色温度値の選択を受信して処理することに用いられる。通信ユニットは、制御ユニットに電気的に接続され、輝度値又は色温度値の選択をターゲットランプに送信することに用いられる。
【０００８】
本文で開示された別の実施例によると、グラフィックインターフェースは、弧状の接触制御部及び接触制御抑止部を含み、弧状の接触制御部と接触制御抑止部は、共同で閉ループリングになり、弧状の接触制御部は、輝度値又は色温度値の複数の段階を表示できる。
【０００９】
本文で開示された別の実施例によると、グラフィックインターフェースは、閉ループリング内に配置される選択値表示部を更に包括する。
【００１０】
本文で開示された別の実施例によると、弧状の接触制御部は、その縁部に配置される複数の目盛りを更に包括する。
【００１１】
本文で開示された別の実施例によると、制御ユニットは、弧状の接触制御部に対するユーザの接触位置に対応する指針を表示できる。
【００１２】
本文で開示された別の実施例によると、弧状の接触制御部は、先端及び末端を包括し、接触制御抑止部は、先端と末端との間に配置される。
【００１３】
本文で開示された別の実施例によると、グラフィックインターフェースは、輝度値又は色温度値の複数の段階を表示できる細長い接触制御部を包括する。
【００１４】
本文で開示された別の実施例によると、グラフィックインターフェースは、細長い接触制御部に近接して配置される選択値表示部を更に含む。
【００１５】
本文で開示された別の実施例によると、細長い接触制御部は、その縁部に配置される複数の目盛りを包含する。
【００１６】
本文で開示された別の実施例によると、制御ユニットは、細長い接触制御部に対するユーザの接触位置に対応する指針を表示できる。
【００１７】
本発明の前記及び他の目的によると、ライトシステムは、ランプと、ユーザ操作インターフェースと、制御ユニットと、通信ユニットと、を備える。ユーザ操作インターフェースは、表示ユニットと、接触制御ユニットと、を含み、ユーザによる輝度値又は色温度値の選択用に構成される。表示ユニットは、グラフィックインターフェースの出力に用いられることができる。接触制御ユニットは、表示ユニットのグラフィックインターフェースでの接触動作の検出に用いられることができる。制御ユニットは、ユーザ操作インターフェースに電気的に接続され、ユーザ操作インターフェースからの輝度値又は色温度値の選択を受信して処理することに用いられる。通信ユニットは、制御ユニットに電気的に接続され、無線プロトコルによって輝度値又は色温度値の選択をランプに送信することに用いられる。
【００１８】
本文で開示された別の実施例によると、グラフィックインターフェースは、弧状の接触制御部及び接触制御抑止部を含み、弧状の接触制御部と接触制御抑止部は、共同で閉ループリングになり、弧状の接触制御部は、輝度値又は色温度値の複数の段階を表示できる。
【００１９】
本文で開示された別の実施例によると、グラフィックインターフェースは、閉ループリング内に配置される選択値表示部を更に包括する。
【００２０】
本文で開示された別の実施例によると、弧状の接触制御部は、その縁部に配置される複数の目盛りを更に包括する。
【００２１】
本文で開示された別の実施例によると、制御ユニットは、弧状の接触制御部に対するユーザの接触位置に対応する指針を表示できる。
【００２２】
本文で開示された別の実施例によると、弧状の接触制御部は、先端及び末端を包括し、接触制御抑止部は、前記先端と前記末端との間に配置される。
【００２３】
本文で開示された別の実施例によると、グラフィックインターフェースは、輝度値又は色温度値の複数の段階を表示できる細長い接触制御部を包括する。
【００２４】
本文で開示された別の実施例によると、グラフィックインターフェースは、細長い接触制御部に近接して配置される選択値表示部を更に含む。
【００２５】
本文で開示された別の実施例によると、細長い接触制御部は、その縁部に配置される複数の目盛りを包含する。
【００２６】
本文で開示された別の実施例によると、制御ユニットは、細長い接触制御部に対するユーザの接触位置に対応する指針を表示できる。
【００２７】
本文で開示された別の実施例によると、前記ランプは、ＬＥＤ（発光ダイオード）ランプである。
【００２８】
本文で開示された別の実施例によると、無線プロトコルは、赤外線、マイクロ波、ラジオ波（Ｒａｄｉｏ  Ｆｒｅｑｕｅｎｃｙ；ＲＦ）、Ｚｉｇｂｅｅ（登録商標）、Ｗｉｍａｘ、２Ｇ、３Ｇ、４Ｇ、ブルートゥース又はＷＩＦＩプロトコルを含む。
【発明の効果】
【００２９】
そのため、本文で開示された調光装置のユーザ操作インターフェースを、様々なタイプの携帯用電子装置に適用することができ、ユーザが、所要の輝度値又は色温度値を視覚的で直接に選択するように、グラフィックインターフェースで接触動作を施すことに用いられる。また、従来の円形接触制御部の選択誤りを回避するように、弧状の接触制御部又は細長い接触制御部の先端と末端で互いに間隔をあけておる。ユーザが従来の円形接触制御部の先端と末端との間における限界に接触する場合、１００％輝度を選択して、０％輝度とする誤り検出の不快又は不便に遭うことがある。
【図面の簡単な説明】
【００３０】
これらの添付図面は、本発明を更に理解させるためのものであり、本説明書の一部として、併合し構成する。これらの図面は、本発明の実施例を示し、この解説に合わせて本発明の原理を解釈するためのものである。これらの図面は、下記の通りである。
【００３１】
【図１】本発明の一実施例によるライトシステムを示す機能図である。
【図２】本発明の第１の実施例による調光装置のユーザ操作インターフェースを示す。
【図３】本発明の第２の実施例による調光装置のユーザ操作インターフェースを示す。
【図４】本発明の第３の実施例による調光装置のユーザ操作インターフェースを示す。
【図５】本発明の第４の実施例による調光装置のユーザ操作インターフェースを示す。
【図６】本発明の第５の実施例による調光装置のユーザ操作インターフェースを示す。
【発明を実施するための形態】
【００３２】
以下、本発明の好適な実施例を詳しく説明し、その実例は、添付図面に示される。可能な限り、図面及び解説で使用する同一な素子符号は、同一又は類似な部分を表す。
【００３３】
図１は、本発明の一実施例によるライトシステムを示す機能図である。基本的に、ライトシステム１００は、調光装置１１０と、ランプ１２０と、を備える。調光装置１１０は、制御ユニット１１２と、表示ユニット１１４ａと、接触制御ユニット１１４ｂと、通信ユニット１１６と、を含む。これらのユニットを備える調光装置１１０は、タブレットパソコン、スマートフォン、Ｉ-ｐｈｏｎｅ又は他の携帯用電子装置であってよい。表示ユニット１１４ａと接触制御ユニット１１４ｂは、共同でユーザ操作インターフェース１１４になる。表示ユニット１１４ａは、輝度値又は色温度値の複数の段階を表示できるグラフィックインターフェースを出力するように、制御ユニット１１２に駆動される。そのため、ユーザは、グラフィックインターフェースで見えたカラーに基づいて、輝度値又は色温度値の段階から好みのものを直接に選択することができる。接触制御ユニット１１４ｂは、表示ユニット１１４ａのグラフィックインターフェースでの接触動作の検出、及び検出結果の制御ユニット１１２への送信に用いられることができる。制御ユニット１１２は、ユーザ操作インターフェース１１４に電気的に接続され、ユーザ操作インターフェースからの輝度値又は色温度値の選択を受信して処理することに用いられることができる。通信ユニット１１６は、制御ユニット１１２に電気的に接続され、前記ターゲットランプ１２０の輝度値又は色温度を制御するように、無線プロトコルによる輝度値又は色温度値の選択のターゲットランプ１２０への送信に用いられることができる。この実施例において、ランプ１２０は、ＬＥＤランプ又は別のタイプのランプであってよい。無線プロトコルによって調光装置１１０に制御されるように、ランプ１２０は、アンテナを備えたり、インタネット１２２によってアンテナを有する通信ユニット１２４に接続されたりしてよい。適用な無線プロトコルとしては、赤外線、マイクロ波、ラジオ波（Ｒａｄｉｏ  Ｆｒｅｑｕｅｎｃｙ；ＲＦ）、Ｚｉｇｂｅｅ（登録商標）、Ｗｉｍａｘ、２Ｇ、３Ｇ、４Ｇ、ブルートゥース又はＷＩＦＩプロトコルを含むが、それに限定されない。
【００３４】
図２は、本発明の第１の実施例による調光装置のユーザ操作インターフェース２００を示す。ユーザ操作インターフェース２００は、輝度値又は色温度値の複数の段階を選択的に表示する弧状の接触制御部２０２を包括する。輝度値を一実例として、弧状の接触制御部２０２は、その先端２０２ａで最も暗いカラーを表示し、先端２０２ａから末端２０２ｂまでより明るいカラーを次第に表示し、末端２０２ｂで最も明るいカラーを表示できる。接触制御抑止部２１０は、弧状の接触制御部２０２の先端２０２ａと末端２０２ｂとの間にあり、即ち、この部分においては、輝度値又は色温度値の段階がなかったり、輝度値又は色温度値を選択できないことである。接触制御抑止部２１０は、従来の円形接触制御部の選択誤りを回避できる。ユーザが従来の円形接触制御部の先端と末端との間における限界に接触する場合、１００％輝度を選択して、０％輝度とする誤り検出の不快又は不便に遭うことがある。この実施例において、弧状の接触制御部２０２と接触制御抑止部２１０は、共同で閉ループリングになる。
【００３５】
グラフィックインターフェースは、弧状の接触制御部２０２及び接触制御抑止部２１０の閉ループリング内において選択値表示部２０４を包括してもよい。ユーザが弧状の接触制御部２０２に接触（例えば、指による接触）すると、選択値表示部２０４は、図２に示す輝度値百分率のように、現在選択された輝度値又は色温度値を表示する。選択値表示部２０４は、輝度値又は色温度値の現在選択された段階を、現在選択された輝度値又は色温度値の背景として表示してもよい。
【００３６】
グラフィックインターフェースは、弧状の接触制御部２０２の縁部に位置する複数の目盛りを包括してもよい。この実施例において、目盛り２０６は、弧状の接触制御部２０２の内縁部に表示される。代わりの実施例において、目盛り２０６は、弧状の接触制御部２０２の外縁部（図示せず）に表示される。
【００３７】
グラフィックインターフェースは、現在選択された輝度値又は色温度値を指示する指針を表示するように、制御ユニットに駆動されてよく、指針２０８は、目盛り２０６の現在選択された輝度値又は色温度値を指示するように、グラフィックインターフェースに対するユーザの接触位置に対応して表示される。
【００３８】
前記選択値表示部２０４、目盛り２０６及び指針２０８は、グラフィックインターフェースの必須の設計ではないが、ユーザ操作インターフェースの手軽い使用、及び輝度値又は色温度値に対する精確な制御に寄与するものである。
【００３９】
図３は、本発明の第２の実施例による調光装置のユーザ操作インターフェースを示す。ユーザ操作インターフェース３００は、輝度値又は色温度値の複数の段階を選択的に表示する細長い接触制御部３０２を包括する。色温度値を一実例として、細長い接触制御部３０２は、前記細長い接触制御部３０２の先端３０２ａで最も低い色温度を持つカラーを表示し、先端３０２ａから末端３０２ｂまでより高い色温度を持つカラーを次第に表示し、末端３０２ｂで最も高い色温度を持つカラーを表示することができる。従来の円形接触制御部の選択誤りを回避するように、細長い接触制御部３０２の先端３０２ａと末端３０２ｂで互いに間隔をあけておる。ユーザが従来の円形接触制御部の先端と末端との間における限界に接触する場合、１００％輝度を選択して、０％輝度とする誤り検出の不快又は不便に遭うことがある。
【００４０】
グラフィックインターフェースは、細長い接触制御部３０２に近接する選択値表示部３０４を包括してもよい。ユーザが細長い接触制御部３０２に接触（例えば、指による接触）すると、選択値表示部３０４は、図３に示す輝度値百分率又は色温度値のように、現在選択された輝度値又は色温度値を表示する。選択値表示部３０４は、輝度値又は色温度値の現在選択された段階を、現在選択された輝度値又は色温度値の背景として表示してもよい。
【００４１】
グラフィックインターフェースは、細長い接触制御部３０２の縁部に位置する複数の目盛りを包括してもよい。この実施例において、目盛り３０６は、細長い接触制御部３０２の右縁部に表示される。代わりの実施例において、目盛り２０６は、細長い接触制御部３０２の左縁部（図示せず）に表示されてもよい。
【００４２】
グラフィックインターフェースは、現在選択された輝度値又は色温度値を指示する指針を表示するように、制御ユニットに駆動されてよく、指針３０８は、目盛り３０６の現在選択された輝度値又は色温度値を指示するように、グラフィックインターフェースに対するユーザの接触位置に対応して表示される。
【００４３】
前記選択値表示部３０４、目盛り３０６及び指針３０８は、グラフィックインターフェースの必須の設計ではないが、ユーザ操作インターフェースの手軽い使用、及び輝度値又は色温度値に対する精確な制御に寄与するものである。
【００４４】
図４は、本発明の第３の実施例による調光装置のユーザ操作インターフェースを示す。ユーザ操作インターフェース２００'は、ユーザによる輝度値及び色温度値の同時的な調整を可能にするように、操作インターフェース２００ａ及び操作インターフェース２００ｂ、を包括する。操作インターフェース２００ａは、輝度値の調整に、操作インターフェース２００ｂは、色温度値の調整に用いられることができる。操作インターフェース（２００ａ又は２００ｂ）のそれぞれは、輝度値又は色温度値の複数の段階を表示する弧状の接触制御部２０２を包括する。操作インターフェース２００ａを一実例として、弧状の接触制御部２０２は、その先端２０２ａで最も暗いカラーを表示し、先端２０２ａから末端２０２ｂまでより明るいカラーを次第に表示し、末端２０２ｂで最も明るいカラーを表示することができる。操作インターフェース２００ｂを一実例として、弧状の接触制御部２０２は、その先端２０２ａで最も低い色温度を持つカラーを表示し、先端２０２ａから末端２０２ｂまでより高い色温度を持つカラーを次第に表示し、末端２０２ｂで最も高い色温度を持つカラーを表示することができる。接触制御抑止部２１０は、弧状の接触制御部２０２の先端２０２ａと末端２０２ｂとの間にあり、即ち、この部分においては、輝度値又は色温度値の段階がなかったり、輝度値又は色温度値を選択できないことである。接触制御抑止部２１０は、従来の円形接触制御部の選択誤りを回避する。ユーザが従来の円形接触制御部の先端と末端との間における限界に接触する場合、１００％輝度を選択して、０％輝度として誤り検出の不快又は不便に遭うことがある。この実施例において、弧状の接触制御部２０２と接触制御抑止部２１０は、共同で閉ループリングになる。
【００４５】
グラフィックインターフェースは、弧状の接触制御部２０２及び接触制御抑止部２１０の閉ループリング内において選択値表示部２０４を包括してもよい。ユーザが弧状の接触制御部２０２に接触（例えば、指による接触）すると、選択値表示部２０４は、図面に示す輝度値百分率又は色温度値のように、現在選択された輝度値又は色温度値を表示する。選択値表示部２０４は、輝度値又は色温度値の現在選択された段階を、現在選択された輝度値又は色温度値の背景として表示してもよい。
【００４６】
グラフィックインターフェースは、弧状の接触制御部２０２の縁部に位置する複数の目盛りを包括してもよい。この実施例において、目盛り２０６は、弧状の接触制御部２０２の内縁部に表示される。代わりの実施例において、目盛り２０６は、弧状の接触制御部２０２の外縁部（図示せず）に表示される。
【００４７】
グラフィックインターフェースは、現在選択された輝度値又は色温度値を指示する指針を表示するように、制御ユニットに駆動されてよく、指針２０８は、目盛り２０６の現在選択された輝度値又は色温度値を指示するように、グラフィックインターフェースに対するユーザの接触位置に対応して表示される。
【００４８】
前記選択値表示部２０４、目盛り２０６及び指針２０８は、グラフィックインターフェースの必須の設計ではないが、ユーザ操作インターフェースの手軽い使用、及び輝度値又は色温度値に対する精確な制御に寄与するものである。
【００４９】
図５本発明の第４の実施例による調光装置のユーザ操作インターフェース３００'を示す。ユーザ操作インターフェース３００'は、ユーザによる輝度値及び色温度値の同時的な調整を可能にするように、操作インターフェース３００ａ及び操作インターフェース３００ｂを包括する。操作インターフェース３００ａは、輝度値の調整に、操作インターフェース３００ｂは、色温度値の調整に用いられることができる。操作インターフェース（３００ａ又は３００ｂ）のそれぞれは、輝度値又は色温度値の複数の段階を表示する細長い接触制御部３０２を包括する。操作インターフェース３００ａを一実例として、細長い接触制御部３０２は、その先端３０２ａで最も暗いカラーを表示し、先端３０２ａから末端３０２ｂまでより明るいカラーを次第に表示し、末端３０２ｂで最も明るいカラーを表示することができる。操作インターフェース３００ｂを一実例として、細長い接触制御部３０２は、前記細長い接触制御部３０２の先端３０２ａで最も低い色温度を持つカラーを表示し、先端３０２ａから末端３０２ｂまでより高い色温度を持つカラーを次第に表示し、末端３０２ｂで最も高い色温度を持つカラーを表示することができる。従来の円形接触制御部の選択誤りを回避するように、細長い接触制御部３０２の先端３０２ａと末端３０２ｂで互いに間隔をあけておる。ユーザが従来の円形接触制御部の先端と末端との間における限界に接触する場合、１００％輝度を選択して、０％輝度とする誤り検出の不快又は不便に遭う事がある。
【００５０】
グラフィックインターフェースは、細長い接触制御部３０２に近接する選択値表示部３０４を包括してもよい。ユーザが細長い接触制御部３０２に接触（例えば、指による接触）すると、選択値表示部３０４は、図３に示す輝度値百分率又は色温度値のように、現在選択された輝度値又は色温度値を表示する。選択値表示部３０４は、輝度値又は色温度値の現在選択された段階を、現在選択された輝度値又は色温度値の背景として表示してもよい。
【００５１】
グラフィックインターフェースは、細長い接触制御部３０２の縁部に位置する複数の目盛りを包括してもよい。この実施例において、目盛り３０６は、細長い接触制御部３０２の右縁部に表示される。代わりの実施例において、目盛り２０６は、細長い接触制御部３０２の左縁部（図示せず）に表示されてもよい。
【００５２】
グラフィックインターフェースは、現在選択された輝度値又は色温度値を指示する指針を表示するように、制御ユニットに駆動されてよく、指針３０８は、目盛り３０６の現在選択された輝度値又は色温度値を指示するように、グラフィックインターフェースに対するユーザの接触位置に対応して表示される。
【００５３】
前記選択値表示部３０４、目盛り３０６及び指針３０８は、グラフィックインターフェースの必須の設計ではないが、ユーザ操作インターフェースの手軽い使用、及び輝度値又は色温度値に対する精確な制御に寄与するものである。
【００５４】
図６は、本発明の第５の実施例による調光装置のユーザ操作インターフェース４００を示す。ユーザ操作インターフェース４００は、ユーザによる輝度値及び色温度値の同時的な調整を可能にするように、操作インターフェース２００ａ及び操作インターフェース３００ｂ（図６に示すように）又は操作インターフェース２００ｂ及び操作インターフェース３００ａ（図６に図示せず）を包含する。ユーザ操作インターフェース４００は、ユーザが輝度値及び色温度値を同時的に調整することを、ユーザに視覚的に分からせるように、細長い接触制御部及び弧状の接触制御部という２のタイプの接触制御部を包含する。細長い接触制御部及び弧状の接触制御部の詳細な特徴構造については、上記で解説した。
【００５５】
前記実施例によると、本文で開示された調光装置のユーザ操作インターフェースを、様々なタイプの携帯用電子装置に適用してよく、ユーザが、所要の輝度値又は色温度値を視覚的で直接に選択するように、グラフィックインターフェースで接触動作を施すことに用いられる。また、従来の円形接触制御部の選択誤りを回避するように、弧状の接触制御部又は細長い接触制御部の先端と末端で互いに間隔をあけておる。ユーザが従来の円形接触制御部の先端と末端との間における限界に接触する場合、１００％輝度を選択して、０％輝度とする誤り検出の不快又は不便に遭うことがある。
【００５６】
当業者であれば、本発明の範囲及び精神から逸脱しないで、本発明の構造に対して、多種の修正や変更を加えることができることは明確である。前記に鑑みて、本発明の修正や変更は、以下の特許請求の範囲又はその同等なものの範囲に属すれば、本発明に含まれる。
【符号の説明】
【００５７】
１００  ライトシステム、１１０  調光装置、１１２  制御ユニット、１１４、２００、２００'、３００、３００'、４００  ユーザ操作インターフェース、１１４ａ  表示ユニット、１１４ｂ  接触制御ユニット、１１６、１２４  通信ユニット、１２０  ランプ、１２２  インタネット、２００ａ、２００ｂ、３００ａ、３００ｂ  操作インターフェース、２０２  弧状の接触制御部、２０２ａ、３０２ａ  先端、２０２ｂ、３０２ｂ  末端、２０４、３０４  選択値表示部、２０６、３０６  目盛り、２０８、３０８  指針、２１０  接触制御抑止部、３０２  細長い接触制御部
【図１】
2013115039.tif 000003
【図２】
2013115039.tif 000004
【図３】
2013115039.tif 000005
【図４】
2013115039.tif 000006
【図５】
2013115039.tif 000007
【図６】
2013115039.tif 000008